(57)【要約】  【課題】  コイン、メダル等の盤状物のノズル内での搬送時に、盤状物と盤状物の通路底面との接触面積を減少することで、摩擦抵抗を低減する必要がある。  【解決手段】  ノズル５１断面視、内面に凹部Ｂおよび凸部Ａを設け、凹部Ｂと凸部Ａとの間に傾斜面ｅ、凹部Ｂと一方の側面ｂとの間に平面ｆ、凸部Ａと他方の側面ｃとの間に平面ｄを設け、一方の側面ｂの高さの方が他方の側面ｃよりも丈が高く、凸部Ａと他方の側面Ｂとの間の平面ｄは盤状物Ｗの半径よりも小に、凹部Ｂと一方の側面ｂとの間の平面ｆは盤状物Ｗの径よりも小に設ける。【選択図】  図５
2005270426.tif 000002
【特許請求の範囲】
【請求項１】
内部で盤状物を移動させ所望位置に案内するノズルにおいて、
ノズル断面視、内面に凹部を設けたことを特徴とするノズル。
【請求項２】
内部で盤状物を移動させ所望位置に案内するノズルにおいて、
ノズル断面視、内面に凹部および凸部を設けたことを特徴とするノズル。
【請求項３】
内部で盤状物を移動させ所望位置に案内するノズルにおいて、
ノズル断面視、内面に凹部を設けると共に上下方向のノズル内面高さが盤状物径を超えないことを特徴とするノズル。
【請求項４】
内部で盤状物を移動させ所望位置に案内するノズルにおいて、
ノズル断面視、内面に凹部および凸部を設け、
凹部と凸部との間に傾斜面、凹部分と凹部に近接する一方の側面との間に平面、凸部と凸部に近接する他方の側面との間に平面を設け、
凸部と他方の側面との間の平面は盤状物の半径よりも小に設けられたことを特徴とするノズル。
【請求項５】
内部で盤状物を移動させ所望位置に案内するノズルにおいて、
ノズル断面視、内面に凹部および凸部を設け、
凹部と凸部との間に傾斜面、凹部と凹部に近接する一方の側面との間に平面、凸部と凸部に近接する他方の側面との間に平面を設け、
凸部と他方の側面との間の平面は盤状物の半径よりも小に、凹部分と一方の側面との間の平面は盤状物の径よりも小に設けられたことを特徴とするノズル。
【請求項６】
内部で盤状物を移動させ所望位置に案内するノズルにおいて、
ノズル断面視、内面に凹部および凸部を設け、
凹部と凸部との間に傾斜面、凹部と凹部に近接する一方の側面との間に平面、凸部と凸部に近接する他方の側面との間に平面を設け、
凸部と他方の側面との間の平面は盤状物の半径よりも小に、
凹部分と一方の側面との間の平面と、一方の側面との間に形成される隅部から凸部への距離が盤状物の略径に設けられたことを特徴とするノズル。
【請求項７】
内部で盤状物を移動させ所望位置に案内するノズルにおいて、
ノズル断面視、内面に凹部および傾斜面を設けたことを特徴とするノズル。
【請求項８】
内部で盤状物を移動させ所望位置に案内するノズルにおいて、
ノズル断面視、内面に凹部を設け、
対向させて設けられる一方の側面と他方の側面とからなる両側面のうち他方の側面と凹部との間に傾斜面を設け、
一方の側面には第２凹部を設けたことを特徴とするノズル。
【請求項９】
上下方向のノズル内面高さが盤状物径を超えないことを特徴とする請求項４乃至請求項８いずれか記載のノズル。
【請求項１０】
請求項１乃至９いずれか記載のノズルを有し、
金員を受け入れて識別可能であり、
または／及び、
有価価値を特定可能な有価価値特定情報を記録した記録媒体を受け入れて有価価値特定情報を読み出し、読み出した有価価値特定情報により有価価値を特定可能であり、
金員または／及び有価価値の範囲内で内部に貯留した盤状物をノズル内を滑落させて払い出すことを特徴とするノズル付盤状物払出装置。
【発明の詳細な説明】
【技術分野】
【０００１】
この発明は、ノズル、詳細にはコイン、メダル等遊技用盤状物が内部を移動するノズル、更に詳細にはコイン、メダル等の遊技媒体用円盤状物が内部を移動する盤状物払出装置用ノズルの内部構造と、そのノズル付盤状物払出装置に係る。
【背景技術】
【０００２】
コイン、メダル等盤状物が内部を移動する円筒からなるノズルの断面が円形からなる場合は、その円形の各斜度に沿うことで滑落速度のばらつきが大きく、例えばメダル、コインの供給先であるスロットの受皿に、コイン、メダル等が起立転動して落ちる場合もあり、その結果勢いで外部に飛び出ることがあった。あるいは、円筒底面にメダルの両端が接触して低速で滑落するメダル、コインは、ノズルの傾斜を緩やかにすると、ノズルの途中で止ってしまったりする問題点を有していた。  
【０００３】
そこで、図９に図示するような特許文献１記載のノズルが知られている。特許文献１記載のノズル１０１では、断面円形からなるノズル１０１の内部には内部に向かって設けられたリブ１０２が設けられている。
しかしながら、特許文献１記載のノズルでは、リブ１０２に沿ってリブ１０２側面にコイン、メダル等の盤状物が接触しながら導かれて起立して転動滑落すると、やはり、スロット受皿からバウンドするなどして勢いがあまり外に飛び出すコイン、メダル等の盤状物が生ずることがあり好ましくなかった。
更に、従来のノズルでは、盤状物とノズルは盤状物の両端部でノズルに接触していたのに対して、特許文献１記載のノズルでは盤状物の平面とリブ１０２とが、直線状に接触する。そのため、直線状で接触する分摩擦抵抗が大きくなり、ノズル途中で詰まりやすくなる。そこで、かえって滑落速度差を助長させることとなっていた。
【０００４】
他方、起立転動してスロット受皿からバウンドするなどして勢いがあまり外に飛び出すコイン、メダ等の盤状物が生ずることを防ぐために、ストッパを設けることが考えられる。
しかしながら、ストッパを設けると、コイン、メダル等の盤状物がストッパにあたり、その接触音がうるさく、あるいはコイン、メダル等がストッパにより停止する箇所で詰まりが生じやすくなるといった問題点を有した。
【０００５】
コイン、メダル等の盤状物の滑落速度のばらつきを極力抑えて、受皿からの飛び出しを防止する手段として、特許文献２には図１０に図示するようなノズルが提案されている。１１１は、ノズル、１１１ａはノズルの凹部、１１１ｂはノズルの搬送底面、１１１ｃはノズルの先端部である。
１１２はノズル支持部、１１３はマイクロスイッチ、１１４は下皿である。
特許文献２記載のノズル１１１では、盤状物の受皿からの飛び出しを防止するノズル１１１の搬送底面１１１ｂを平面として且つ適度な傾斜を持たせて、全てのメダルを水平にスロット受皿１１４に滑り落とすようにするものである。
しかしながら、特許文献２記載のノズル１１１では、メダルと搬送底面１１１ｂとの接触面積が増加し、高湿度等の気候条件や遊技者による飲食物の付着等の関係でメダルに水分が付着した場合には、ノズル１１１途中でメダルが停止し、詰まりを生ずる問題点を有していた。
【０００６】
そのため、この問題点を解決するためには、ある程度の傾斜を設ける必要がある。そのためには、ノズル１１１の取付け部を上部に設ける必要がある。
しかしそうすると、メダルタンクの設置位置を更に上部に設ける必要が生ずるが、メダルタンクの設置位置を高い位置に設けると、メダルタンクの容量は減少する。容量減少を補うには、メダル貸機の内部のホッパーから上部へメダルを搬送する必要が生る。この重力に反してのメダル上方搬送時には、メダルの詰まりが生じやすいという課題を有していた。
【特許文献１】特開２００２−２１０２１５号公報
【特許文献２】特開２００１−７９１４３号公報
【発明の開示】
【発明が解決しようとする課題】
【０００７】
コイン、メダル等の盤状物のノズル内での搬送時に、盤状物と盤状物の通路底面との接触面積を減少することで、摩擦抵抗を低減する必要がある。
【課題を解決するための手段】
【０００８】
この発明は、
内部で盤状物を移動させ所望位置に案内するノズルにおいて、
ノズル断面視、内面に凹部を設けたことを特徴とするノズル、
および、
【０００９】
内部で盤状物を移動させ所望位置に案内するノズルにおいて、
ノズル断面視、内面に凹部および凸部を設けたことを特徴とするノズル、
および、
【００１０】
内部で盤状物を移動させ所望位置に案内するノズルにおいて、
ノズル断面視、内面に凹部を設けると共に上下方向のノズル内面高さが盤状物径を超えないことを特徴とするノズル、
および、
【００１１】
内部で盤状物を移動させ所望位置に案内するノズルにおいて、
ノズル断面視、内面に凹部および凸部を設け、
凹部と凸部との間に傾斜面、凹部分と凹部に近接する一方の側面との間に平面、凸部と凸部に近接する他方の側面との間に平面を設け、
凸部と他方の側面との間の平面は盤状物の半径よりも小に設けられたことを特徴とするノズル、
および、
【００１２】
内部で盤状物を移動させ所望位置に案内するノズルにおいて、
ノズル断面視、内面に凹部および凸部を設け、
凹部と凸部との間に傾斜面、凹部と凹部に近接する一方の側面との間に平面、凸部と凸部に近接する他方の側面との間に平面を設け、
凸部と他方の側面との間の平面は盤状物の半径よりも小に、凹部分と一方の側面との間の平面は盤状物の径よりも小に設けられたことを特徴とするノズル、
および、
【００１３】
内部で盤状物を移動させ所望位置に案内するノズルにおいて、
ノズル断面視、内面に凹部および凸部を設け、
凹部と凸部との間に傾斜面、凹部と凹部に近接する一方の側面との間に平面、凸部と凸部に近接する他方の側面との間に平面を設け、
凸部と他方の側面との間の平面は盤状物の半径よりも小に、
凹部分と一方の側面との間の平面と、一方の側面との間に形成される隅部から凸部への距離が盤状物の略径に設けられたことを特徴とするノズル、
および、
【００１４】
内部で盤状物を移動させ所望位置に案内するノズルにおいて、
ノズル断面視、内面に凹部および傾斜面を設けたことを特徴とするノズル、
および、
【００１５】
内部で盤状物を移動させ所望位置に案内するノズルにおいて、
ノズル断面視、内面に凹部を設け、
対向させて設けられる一方の側面と他方の側面とからなる両側面のうち他方の側面と凹部との間に傾斜面を設け、
一方の側面には第２凹部を設けたことを特徴とするノズル、
【００１６】
上下方向のノズル内面高さが盤状物径を超えないことを特徴とする請求項４乃至請求項８いずれか記載のノズル、
および、
【００１７】
［０００８］乃至［００１６］いずれか記載のノズルを有し、
金員を受け入れて識別可能であり、
または／及び、
有価価値を特定可能な有価価値特定情報を記録した記録媒体を受け入れて有価価値特定情報を読み出し、読み出した有価価値特定情報により有価価値を特定可能であり、
金員または／及び有価価値の範囲内で内部に貯留した盤状物をノズル内を滑落させて払い出すことを特徴とするノズル付盤状物払出装置、
を提供する。
【発明の効果】
【００１８】
この発明では、ノズル断面視、内面に凹部を設けたので、コイン、メダル等の盤状物のノズル内での搬送時に、盤状物と盤状物の通路底面との接触面積を減少することで、摩擦抵抗を低減することが可能となる。
そのため、コイン、メダル等の盤状物を確実に受皿に供給可能となる。
その結果、ノズルの傾斜角を低減することが可能でノズル取付け部を低位置とすることが可能となり、メダルタンク等の盤状物の収納部の設置位置が低位置とすることが可能となるので、収納部の増量、上方への搬送距離を短くすることが可能となり盤状物の詰まりを防止することが可能となる。
【００１９】
更に、ノズル断面視、内面に凹部および凸部を設けた場合は、コイン、メダル等の円盤状物を含む盤状物の底面全体がノズル底面全体に接触することはない。
更に、ノズル断面視、内面に凹部を設けると共に上下方向のノズル内面高さが盤状物径を超えないようにした場合は、コイン、メダル等の円盤状物を含む盤状物は、ノズル内を起立して転動して滑落することはない。凸部がリブで構成されていても、凸部の側面に沿って凸部に盤状物の平面が接触して案内されて転動して滑落することはない。
【００２０】
更に、ノズル断面視、内面に凹部および凸部を設け、凹部と凸部との間に傾斜面、凹部分と凹部に近接する一方の側面との間に平面、凸部と凸部に近接する他方の側面との間に平面を設け、
凸部と他方の側面との間の平面は盤状物の半径よりも小に設け他場合は、コイン、メダル等の円盤状物を含む盤状物は、凸部分より下方に落下する。凹部と凸部との間に傾斜面が設けられているため、コイン、メダル等の円盤状物を含む盤状物の一端は、傾斜面を滑落する。
【００２１】
更に、ノズル断面視、内面に凹部および凸部を設け、凹部と凸部との間に傾斜面、凹部分と凹部に近接する一方の側面との間に平面、凸部と凸部に近接する他方の側面との間に平面を設け、
凸部と他方の側面との間の平面は盤状物の半径よりも小に、凹部と一方の側面との間の平面は盤状物の径よりも小に設けた場合は、コイン、メダル等の円盤状物を含む盤状物とノズル内面の接触部は、盤状物の両端の２点、あるいは、盤状物の一端と盤状物の平面の一辺直線に規制される。
【００２２】
更に、ノズル断面視、内面に凹部および凸部を設け、凹部と凸部との間に傾斜面、凹部と凹部に近接する一方の側面との間に平面、凸部と凸部に近接する他方の側面との間に平面を設け、
凸部と他方の側面との間の平面は盤状物の半径よりも小に、一方の側面と、凹部分と一方の側面との間の平面との端部と凸部との距離が盤状物の略径に設けた場合は、
盤状物の一端は凹部分と一方の側面との間の平面との隅部に、盤状物の他端は凸部に一致して盤状物は、滑落するため、盤状物とノズルとの接触箇所を更に小さくすることが可能である。
【００２３】
更に、ノズル断面視、内面に凹部および傾斜面を設けた場合は、傾斜面が設けられているため、コイン、メダル等の円盤状物を含む盤状物の一端は、傾斜面を滑落する。
【００２４】
更に、ノズル断面視、内面に凹部を設け、
対向させて設けられる一方の側面と他方の側面とからなる両側面のうち他方の側面と凹部との間に傾斜面を設け、
一方の側面には第２凹部を設けた場合は、一方の側面の隅部の角度は大きくなり、盤状物の下端部は隅部に接しやすくなる。
【００２５】
更に、上下方向のノズル内面高さが盤状物径を超えないノズルとした場合は、盤状物はノズル内を起立して転動滑落することはなく、横向きになって滑落する。
【００２６】
更に、以上の内容からなるノズルを有し、
金員を受け入れて識別可能であり、
または／及び、
有価価値を特定可能な有価価値特定情報を記録した記録媒体を受け入れて有価価値特定情報を読み出し、読み出した有価価値特定情報により有価価値を特定可能であり、
金員または／及び有価価値の範囲内で内部に貯留した盤状物をノズル内を滑落させて払い出すことを特徴とするノズル付盤状物払出装置とした場合は、以上の効果を得るノズルを有するノズル付盤状物払出装置を提供する。
【発明を実施するための最良の形態】
【００２７】
内部で盤状物を移動させ所望位置に案内するノズルにおいて、
ノズル断面視、内面に凹部および凸部を設け、凹部と凸部との間に傾斜面、凹部と凹部に近接する一方の側面との間に平面、凸部と凸部に近接する他方の側面との間に平面を設け、
凸部と他方の側面との間の平面は盤状物の半径よりも小に、一方の側面と、凹部分と一方の側面との間の平面との隅部と凸部との距離が盤状物の略径に設けられたことを特徴とするノズル、
からなる。
【００２８】
ノズル断面視、内面に凹部を設けたことを特徴とするノズルからなるため、コイン、メダル等の円盤状物を含む盤状物の底面全体がノズル底面全体に接触することはない。
更に、ノズル断面視、内面に凹部および凸部を設けているので、コイン、メダル等の円盤状物を含む盤状物の底面全体がノズル底面全体に接触することはない。
更に、ノズル断面視、内面に凹部を設けると共に上下方向のノズル内面高さが盤状物径を超えないようにしたので、コイン、メダル等の円盤状物を含む盤状物は、ノズル内を起立して転動して滑落することはない。凸部がリブで構成されていても、凸部の側面に沿って凸部に盤状物の平面が接触して案内されて転動して滑落することはない。
【００２９】
更に、ノズル断面視、内面に凹部および凸部を設け、凹部と凸部との間に傾斜面、凹部分と一方の側面との間に平面、凸部と他方の側面との間に平面を設け、
凸部と他方の側面との間の平面は盤状物の半径よりも小に設けたので、コイン、メダル等の円盤状物を含む盤状物は、凸部分より下方に落下する。凹部と凸部との間に傾斜面が設けられているため、コイン、メダル等の円盤状物を含む盤状物の一端は、傾斜面を滑落する。
【００３０】
更に、ノズル断面視、内面に凹部および凸部を設け、凹部と凸部との間に傾斜面、凹部分と一方の側面との間に平面、凸部と他方の側面との間に平面を設け、
凸部と他方の側面との間の平面は盤状物の半径よりも小に、凹部と一方の側面との間の平面は盤状物の径よりも小に設たので、コイン、メダル等の円盤状物を含む盤状物とノズル内面の接触部は、盤状物の両端の２点、あるいは、盤状物の一端と盤状物の平面の一辺直線に規制される。
更に、盤状物の一端は凹部分と一方の側面との間の平面との隅部に、盤状物の他端は凸部に一致して盤状物は、滑落するため、盤状物とノズルとの接触箇所を更に小さくすることが可能である。
【実施例１】
【００３１】
この発明の実施例１に係る盤状物払出装置の正面図を表す図１，同盤状物払出装置（ノズル付盤状物払出装置）の中央断面図を表す図２、同盤状物払出装置のノズルの正面図を表す図３、図４、同ノズルの断面図を表す図５、第１実施例に係る盤状物払出装置のノズル取付け部の説明図を表す図７に従って説明する。
【００３２】
１１は、盤状物払出装置である。盤状物払出装置１１は、この実施例では、遊技媒体であるコイン、メダル等の円盤状物を含む盤状物Ｗを払い出して貸与する機械であり、盤状物を使用して遊技するメダル用遊技機に隣接して設置される。
２１は、紙幣挿入口であり、盤状物の貸与を受けるために遊技者は、紙幣を投入する。２２は、状態表示ランプである。状態表示ランプ２２では、エラーが発生したときは赤色点滅してホール従業員に警告する。正常動作中は、状態表示ランプ２２は、緑色点灯する。状態表示ランプが消灯しているときは、電源がオフ状態とされているか、オフライン動作中を表す。
２３は、リモコン受光部である。リモコン受光部では、ホール従業員が携帯するリモコン操作装置の発光を受光する。
２４は、使用種別表示である。使用種別表示２４では、紙幣挿入口２１から紙幣が挿入され、紙幣を使用して盤状物の貸与を受けている場合すなわちキャッシュオン状態のときには、緑色点灯を行う。非会員カードを使用して盤状物の貸与を受けているときは、使用種別表示２４は赤色点灯する。会員カードを使用して盤状物の貸与を受けているときは、青色点灯する。
２５は、表示部であり、各種の表示を行う。
【００３３】
３１は、カード挿入口である。カード挿入口３１には、会員カード、非会員カードが挿入されて、遊技媒体である盤状物Ｗの貸与が行われる。
３２は、貸メダルボタンであり、盤状物の貸与を受ける遊技者が押して使用する。３３は、返却ボタンであり、挿入されたカードの返却を求めるときに押す。
４１は、メダル投入口である。メダル投入口４１からは、コイン、メダル等の円盤状物を含む盤状物を投入し遊技者に貸し出すために一時貯留する。４２は、メダル投入口鍵穴であり、メダル投入口を塞ぐ蓋の施錠を行う。
図２において、４３はホッパーである。ホッパー４３は、盤状物払出装置１１内部に設置され、メダル投入口４１から投入される盤状物Ｗを保管し、貸与する。４４はビルバリ、４５は、有価価値が帰零した使用済み非会員カードの回収部である。
【００３４】
５１は、ノズルである。ノズル５１は、メダル投入口４１から投入され内部に設置された図２に図示されるホッパー４３にストックされる盤状物を貸与するときに内部を盤状物を通過させて遊技機の下皿などへ供給する。ホッパー４３から、ノズル５１への盤状物の供給は、盤状物払出装置１１底部に設けられたホッパー４３から上昇させて供給する。
５２は、メダル払出口であり、貸与する盤状物を供給する。
【００３５】
ノズル５１の断面を表す図５において、Ａは凸部、Ｂは凹部、ａは天井面、ｂは一方の側面、ｃは他方の側面、ｄは凸部Ａと他方の側面ｃとの間の上部平面、ｅは凹部Ｂと凸部Ａとの間に設けられた傾斜面、ｆは凹部Ｂと一方の側面ｂとの間に設けられた下部平面である。
一方の側面ｂの高さの方が他方の側面ｃよりも丈が高い。
Ｗは、コイン、メダル等の円盤状物を含む盤状物である。
【００３６】
この第１実施例では、ノズル５１断面視、内面に凹部Ｂを設けている。
そのため、コイン、メダル等の円盤状物を含む盤状物Ｗの底面全体がノズル５１底面全体に接触することはない。
【００３７】
更に、第１実施例では、ノズル５１断面視、ノズル５１内面に凹部Ｂおよび凸部Ａを設けている。そのためコイン、メダル等の円盤状物を含む盤状物Ｗの底面全体がノズル５１底面ｅ、ｆ全体に接触することはない。
【００３８】
更に、第１実施例では、ノズル５１断面視、ノズル５１内面に凹部Ｂを設けると共に上下方向の丈の高い方の一方の側面ｂにおいてもノズル内面高さが盤状物Ｗ径を超えないようにしている。この場合は、コイン、メダル等の円盤状物を含む盤状物Ｗは、ノズル５１内を起立して転動して滑落することはない。凸部Ａがリブで構成されていても、凸部Ａの側面に沿って凸部Ａに盤状物Ｗの平面が接触して案内されて転動して滑落することはない。
【００３９】
更に、第１実施例では、ノズル５１断面視、ノズル５１内面に凹部Ｂおよび凸部Ａを設け、凹部Ｂと凸部Ａとの間に傾斜面ｅ、凹部Ｂと凹部Ｂに近接する一方の側面ｂとの間に下部平面ｆ、凸部Ａと凸部Ａに近接する他方の側面ｃとの間に上部平面ｄを設けている。
そして、一方の側面ｂの高さの方が他方の側面ｃよりも丈が高く、凸部Ａと他方の側面ｃとの間の上部平面ｄは盤状物Ｗの半径よりも小に設けている。
そのため、コイン、メダル等の円盤状物を含む盤状物Ｗは、凸部Ａより下方に落下する。凹部Ｂと凸部Ａとの間に傾斜面ｅが設けられているため、コイン、メダル等の円盤状物を含む盤状物Ｗの一端は、傾斜面ｅを滑落する。
【００４０】
更に、第１実施例では、凸部Ａと他方の側面ｃとの間の上部平面ｄは盤状物Ｗの半径よりも小に、凹部Ｂと一方の側面ｂとの間の下部平面ｆは盤状物Ｗの径よりも小に設けている。そのためコイン、メダル等の円盤状物を含む盤状物Ｗは、図５に図示されるように、上部平面からバランスを崩して、傾斜面ｅに落下し、コイン、メダル等の円盤状物を含む盤状物Ｗとノズル５１内面の接触部は、盤状物Ｗの両端の２点、あるいは、盤状物Ｗの一端と盤状物Ｗの平面の一辺直線に規制される。この規制により、断面視円形の底部にリブを設けた場合と異なり盤状物の滑落速度のばらつきが少なく安定した払い出しが可能となる。
【００４１】
更に、上下方向のノズル５１内面高さが盤状物Ｗ径を超えないノズル５１とした場合は、盤状物Ｗはノズル５１内を起立して転動滑落することはなく、横向きになって滑落する。
【００４２】
更に、第１実施例では、一方の側面ｂの高さの方が他方の側面ｃよりも丈が高く、凸部Ａと他方の側面ｃとの間の上部平面ｄは盤状物Ｗの半径よりも小に、一方の側面ｂと、凹部Ｂと一方の側面ｂとの間の下部平面ｆとの隅部Ｃと凸部Ａとの距離が盤状物Ｗの略径に設けている。そのため、盤状物Ｗの一端は凹部Ｂと一方の側面ｂとの間の下部平面ｆとの隅部Ｃに、盤状物Ｗの他端は凸部Ａに一致して盤状物Ｗは、滑落するため、盤状物Ｗとノズル５１との接触箇所を更に小さくすることが可能である。
【００４３】
次に、図７に基づき第１実施例のノズル接続部について説明する。
６１は、盤状物払出装置１１の前面パネルである。前面パネル６１には、長孔状からなるスライド孔６２ａ、６２ｂ、６２ｃ、６２ｄが上下に２個づつそれぞれ平行に計４個設置される。６３ａ、６３ｂ、６３ｃ、６３ｄは、ピンである。ピン６３ａ、６３ｂ、６３ｃ、６３ｄは、それぞれスライド孔６２ａ、６２ｂ、６２ｃ、６２に嵌合される。
６４ａ、６４ｂは、それぞれ孔列であり、浅い溝が形成される。孔列６４ａ、６４ｂは、上部にもうけられたスライド孔６２ａ、６２ｂの間に平行に設置される。孔列６４ａ、６４ｂには、それぞれ複数のこの第１実施例では、５個の孔列６４ａ、６４ｂに設けられた浅い溝より深い孔が、孔列６４ａについては孔６５ａ、孔６５ｂ、孔６５ｃ、孔６５ｄ、孔６５ｅ、孔列６４ｂについては孔６５ｆ、孔６５ｇ、孔６５ｈ、孔６５ｉ、孔６５ｊがそれぞれ設けられる。
６６は、嵌合ピンである。嵌合ピン６６には、内部にスプリング６７が設置され、スプリング６７先端に取り付けられる嵌合部６８を常に先端方向に押圧する。嵌合ピン６６は、孔列６４ａ、６４ｂごとに特定の孔にそれぞれ１個嵌合される。
【００４４】
７１は、接続部である。接続部７１は蓋状からなり、前面パネル６１上から被せて使用する。接続部７１の前面パネル６１側には、それぞれ接続部７１側に突設するスライド孔６２ａ、スライド孔６２ｂ、スライド孔６２ｃ、スライド孔６２ｄに嵌合されたピン６３ａ、ピン６３ｂ、ピン６３ｃ、ピン６３ｄ、および孔６５ａ、孔６５ｂ、孔６５ｃ、孔６５ｄ、孔６５ｅのいずれか、孔６５ｆ、孔６５ｇ、孔６５ｈ、孔６５ｉ、孔６５ｊのいずれかに嵌められた嵌合ピン６６の突起部分を収納するピン収納部７２が設けられる。ピンあるいは嵌合ピンをピン収納部７２に収納させることで前面パネル６１と接続部７１とを一体とする。
【００４５】
７３ａ、７３ｂはノズル取付部である。ノズル取付部７３ａ、７３ｂは、それぞれ外側に突設される半円形状からなり、外周に沿って、合ピンを嵌合させる孔７４を複数個それぞれ設ける。
７５ａ、７５ｂはノズル取付孔であり、ノズル取付部７３ａ、７３ｂ基部中心に設けられる。
７６は、空間部であり、ノズル取付部７３ａ、７３ｂの間の接続部７１をえぐって設けられる。
【００４６】
８１は、ノズル基部である。ノズル基部８１は蓋状からなり、ノズル５１が取り付けられる。８２ａ、８２ｂは取付突起である。取付突起８２ａ、８２ｂをそれぞれノズル取付孔７５ａ、７５ｂに嵌合させてノズル基部８１を接続部７１に取り付ける。すると、嵌合ピン６６は、ノズル取付部７３ａ、７３ｂのいずれかの孔７４に嵌合する。
【００４７】
そこで、ノズル５１を上下方向に移動すると、ピン６３ａ、６３ｂ、６３ｃ、６３ｄは、スライド孔６２ａ、６２ｂ、６２ｃ、６２ｄに沿って上下に移動し、接続部７１も上下に移動するので、ノズル５１は上下に移動する。このとき嵌合ピン６６は、孔列６４ａ、６４ｂに設けられた孔６５ａ、孔６５ｂ、孔６５ｃ、孔６５ｄ、孔６５ｅまたは、孔６５ｆ、孔６５ｇ、孔６５ｈ、孔６５ｉ、孔６５ｊごとに停止して移動するので、節度感を与えながらノズル５１接続部７１は上下動する。
【００４８】
ノズル５１を回転させると、ノズル５１が取り付けられるノズル基部８１は、取付突起８２ａ、８２ｂを回転中心として回転する。このとき嵌合ピン６６が、ノズル取付部７３ａ、７３ｂに設けられたいずれかの孔７４に嵌合しながら、回転するので節度感を持ちながらノズル５１は回転する。
【００４９】
有価価値を特定可能な有価価値特定情報を記録した記録媒体を受け入れて有価価値特定情報を読み出し、読み出した有価価値特定情報により有価価値を特定可能であり、
金員または／及び有価価値の範囲内で内部に貯留した盤状物Ｗをノズル５１内を滑落させて払い出すノズル付盤状物払出装置１１とした場合は、以上の効果を得るノズル５１を有するノズル付盤状物払出装置５１となる。
【実施例２】
【００５０】
第２実施例に係る盤状物払出装置のノズルの断面図を表す図６にしたがって、第２実施例の盤状物払出装置のノズルについて説明する。
第２実施例では、第１実施例と異なり、凹部Ｂは設けるが、凸部Ａ上部平面ｄは設けていない。また、下部平面ｆは設けるが、上部平面ｄは設けていない。
他方、一方の側面ｂには第２凹部Ｄが設けられ、そのため隅部Ｃのθは９０度より大きくなり、図６に図示されるように盤状物Ｗの下端部は隅部Ｃに接しやすくなる。第２凹部Ｄを隅部Ｃにできるだけ近づけて設けることにより第２凹部の突出量が小さくとも隅部Ｃの角度θを大きくとることが可能であり、盤状物Ｗの一端は凹部Ｂと一方の側面ｂとの間の下部平面ｆとの隅部Ｃに一致しやすくなる。
第２凹部Ｄは、一方の側面ｂの中間位置よりも隅部Ｃよりに設けることが隅部ＣのΘを９０度より大きくする上で望ましい。第２実施例では、一方の側面ｂの１／３位置の隅部Ｃよりに設ける。盤状物Ｗの一端は凹部Ｂと一方の側面ｂとの間の下部平面ｆとの隅部Ｃに一致して、盤状物Ｗの他端は傾斜面ｅに接して盤状物Ｗは、滑落する
【実施例３】
【００５１】
第３実施例に係る盤状物払出装置のノズル取付け部の説明図を表す図８にしたがって、第３実施例の盤状物払出装置のノズルについて説明する。
第３実施例では、スライド孔６２ｅ、６２ｆは円弧状に対向させて２個設置する。ピン６３ｅ、６３ｆは、それぞれスライド孔６２ｅ、６２ｆに嵌合される。
６５ｋ、６５ｌ、６５ｍ、６５ｎ、６５ｏ、６５ｐまたは、６５ｑ、６５ｒ、６５ｓ、６５ｔ、６５ｕ、６５ｖは孔である。
嵌合ピン６６は、孔列６４ｃ、６４ｄごとに特定の孔にそれぞれ１個嵌合される。
【００５２】
そこで、ノズル５１を回転させると、ピン６３ｅ、６３ｆは、スライド孔６２ｅ、６２ｆに沿って移動する。このとき６６は、孔列６４ｃ、６４ｄに設けられた孔６５ｋ、孔６５ｌ、孔６５ｍ、孔６５ｎ、孔６５ｏ、孔６５ｐまたは、孔６５ｑ、孔６５ｒ、孔６５ｓ、孔６５ｔ、孔６５ｕ、孔６５ｖごとに停止して移動するので、節度感を与えながらノズル５１接続部７１は回転する。
【産業上の利用可能性】
【００５３】
したがって、この発明は、コイン、メダル等の遊技媒体用円盤状物が内部を移動する盤状物払出装置用ノズルに使用可能である。
【図面の簡単な説明】
【００５４】
【図１】この発明の第1実施例に係る盤状物払出装置の正面図
【図２】この発明の第1実施例に係る盤状物払出装置の中央断面図
【図３】この発明の第1実施例に係る盤状物払出装置のノズルの正面図
【図４】この発明の第1実施例に係る盤状物払出装置のノズルの正面図
【図５】この発明の第1実施例に係る盤状物払出装置のノズルの断面図
【図６】この発明の第２実施例に係る盤状物払出装置のノズルの断面図
【図７】この発明の第１実施例に係る盤状物払出装置のノズル取付け部の説明図
【図８】この発明の第３実施例に係る盤状物払出装置のノズル取付け部の説明図
【図９】特許文献１記載のノズル
【図１０】特許文献２記載のノズル
【符号の説明】
【００５５】
１１    盤状物払出装置
５１    ノズル
Ａ    凸部
Ｂ    凹部
ａ    天井面
ｂ    一方の側面
ｃ    他方の側面
ｄ    凸部Ａと他方の側面ｃとの間の上部平面
ｅ    凹部Ｂと凸部Ａとの間に設けられた傾斜面
ｆ    凹部Ｂと一方の側面ｂとの間に設けられた下部平面
Ｗ    盤状物
【図１】
2005270426.tif 000003
【図２】
2005270426.tif 000004
【図３】
2005270426.tif 000005
【図４】
2005270426.tif 000006
【図５】
2005270426.tif 000007
【図６】
2005270426.tif 000008
【図７】
2005270426.tif 000009
【図８】
2005270426.tif 000010
【図９】
2005270426.tif 000011
【図１０】
2005270426.tif 000012